(57)【特許請求の範囲】
【請求項１】
タッチスクリーンを備えた情報処理装置であって、
情報が表示されたタッチスクリーン上に、所定の入力手段による入力操作を検出する入力検出手段と、
前記入力操作が検出されたタッチスクリーン上の領域に関連する第１の情報を特定する情報特定手段と、
前記入力操作によって入力された第２の情報を識別する情報識別手段と、
前記第１の情報を前記第２の情報に更新する情報更新手段と、を備え、
前記情報識別手段において、２以上の情報が前記第２の情報の候補として識別された場合には、前記第２の情報の候補のうち、前記第１の情報と情報の種別が一致する情報を前記第２の情報として識別すること
を特徴とする情報処理装置。
【請求項２】
前記第１の情報は、前記タッチスクリーン上の領域に表示されている情報、又は前記タッチスクリーン上の領域に表示されている情報について設定された値であること
を特徴とする請求項１記載の情報処理装置。
【請求項３】
タッチスクリーンを備えた情報処理装置に、
情報が表示されたタッチスクリーン上に、所定の入力手段による入力操作を検出する入力検出ステップと、
前記入力操作が検出されたタッチスクリーン上の領域に関連する第１の情報を特定する情報特定ステップと、
前記入力操作によって入力された第２の情報を識別する情報識別ステップと、
前記第１の情報を前記第２の情報に更新する情報更新ステップと、を実行させ、
前記情報識別ステップにおいて、２以上の情報が前記第２の情報の候補として識別された場合には、前記第２の情報の候補のうち、前記第１の情報と情報の種別が一致する情報を前記第２の情報として識別すること
を特徴とする情報更新プログラム。
【請求項４】
前記第１の情報は、前記タッチスクリーン上の領域に表示されている情報、又は前記タッチスクリーン上の領域に表示されている情報について設定された値であること
を特徴とする請求項３記載の情報更新プログラム。
【発明の詳細な説明】
【技術分野】
【０００１】
本発明は、タブレット型コンピュータやスマートフォン等の情報処理装置、及びこれらの情報処理装置において情報の更新処理に用いられる情報更新プログラムに関するものである。
【背景技術】
【０００２】
近年、タブレット型コンピュータやスマートフォンなど、情報処理機能を備えた携帯型のネットワーク端末が急速に普及しているが、これらの端末への情報の入出力には、入力装置と表示装置が一体化されたタッチスクリーン（タッチパネル）が用いられることが多い。タッチスクリーンへの情報の入力は、タッチペンや指によるスクリーンへのタッチ操作によって行われる。【０００３】
ペイントソフトなどで画像を入力する場合には、タッチスクリーン上にタッチペンや指で描いた軌跡がそのまま描画されるが、テキストデータを入力したい場合には、タッチスクリーン上にキーボードが表示され、該当する文字等のキーを選択することによって入力操作が行われることが一般的である。そのため、タッチスクリーン上にアプリケーションプログラムによって表示されている数字や文字、表示されているファイルに含まれる数字や文字等を更新したい場合には、所定の操作によってキーボードを呼び出し、キーの選択によって更新したい情報を入力する操作が必要になる。【０００４】
これに対して、タッチスクリーン上に表示されている情報に、キーボードを用いずにタッチスクリーンに直接文字等を描くことによって情報を上書きする方法として、例えば、プレゼンテーションソフト等において、表示された情報に注釈等を上書きする技術が開示されている（例えば、特許文献１、２参照）。また、情報を上書きするのではないが、タッチスクリーン上に表示されている情報に対して、タッチスクリーンに所定の図形を描くことによって、コピーや削除などの処理が実行される技術が開示されている（例えば、特許文献３参照）。
【先行技術文献】
【特許文献】
【０００５】
【特許文献１】特開２００１−３１２２６４号公報
【特許文献２】特開２００４−１７８５５０号公報
【特許文献３】特開２０１０−１８２０２３号公報
【発明の概要】
【発明が解決しようとする課題】
【０００６】
前述のタッチスクリーン上にアプリケーションプログラムによって表示されている数字や文字、表示されているファイルに含まれる数字や文字等を更新したいというケースにおいて、特許文献１、２に開示されている技術を適用しても、単に画面上に描画した文字等が重ねて表示されるだけであって、表示されている文字や数字等そのものを更新することはできない。また、特許文献３に開示されている技術を適用しても、表示されている情報を削除するなどの処理が実行されるだけであって、表示されている文字や数字等が新たな情報に更新されるものではない。【０００７】
本発明は、このような課題に対応するためになされたものであり、タブレット型コンピュータやスマートフォン等の情報処理装置において、アプリケーションプログラムによって表示された数字や、表示されたファイルに含まれる文字や数字等を、直感的な操作によって更新することが可能な情報更新プログラム、情報の更新方法、及び情報処理装置を提供することを目的とするものである。
【課題を解決するための手段】
【０００８】
このような課題を解決する本発明は、タッチスクリーンを備えた情報処理装置であって、情報が表示されたタッチスクリーン上に、所定の入力手段による入力操作を検出する入力検出手段と、前記入力操作が検出されたタッチスクリーン上の領域に関連する第１の情報を特定する情報特定手段と、前記入力操作によって入力された第２の情報を識別する情報識別手段と、前記第１の情報を前記第２の情報に更新する情報更新手段と、を備えることを特徴とする情報処理装置である。【０００９】
本発明によると、タッチスクリーン上にアプリケーションプログラムによって数字や文字等が表示されている領域や、ファイルに含まれる数字や文字等が表示されている領域に、タッチペンなどの所定の入力手段によって数字や文字等が書き込まれると、書き込まれた数字や文字等を識別して、識別された数字や文字等への情報の更新処理を実行するので、表示された情報を上書きする直感的な操作によって、表示された領域の情報を更新することが可能となっている。【００１０】
また、本発明は、前記タッチスクリーンには、いずれの入力手段による入力操作かを識別可能な第１の入力手段及び第２の入力手段による情報の入力が可能なタッチスクリーンが用いられ、タッチスクリーンに対する入力操作を実行した入力手段が、前記第１の入力手段又は前記第２の入力手段のいずれの入力手段であるかを識別する入力識別手段を備えていて、前記入力検出手段は、前記入力識別手段が前記第１の入力手段によって実行された入力操作であると識別した入力操作を、前記所定の入力手段による入力操作として検出し、前記第２の入力手段による入力操作が実行されても、前記所定の入力手段による入力操作として検出しないことを特徴とすることもできる。さらに、前記第１の入力手段はタッチスクリーン用のタッチペン、前記第２の入力手段は前記情報更新装置の操作者の指であることを特徴としてもよい。【００１１】
このように構成すると、例えば、ペイントソフトなどのアプリケーションプログラムを起動した状態で、指などの第２の入力手段によって操作を行っても表示されている情報が更新されることはないが、タッチペンなどの第１の入力手段によって入力操作を行うと表示されている情報が更新されるので、アプリケーションプログラムを表示モードから編集モードに切り換えるといった操作を行わなくても、入力手段を指からタッチペンに変更するだけで、編集モードと同様の状態に切り換えて、表示モードで表示されている情報を更新することが可能になる。【００１２】
尚、一般に、表示されている情報を更新するための操作は、文字や数字の形状を手書きで入力するという、アプリケーションプログラム等の起動やページのスクロールなどの他の操作に比べて細かな入力操作が必要になることが多いため、第１の入力手段には、指よりも細かい形状の入力を行いやすいタッチペンを用いることが好ましい。【００１３】
また、本発明は、前記情報識別手段において２以上の情報が前記第２の情報の候補として識別された場合には、前記第２の情報の候補のうち、前記第１の情報と情報の種別が一致する情報を前記第２の情報として識別することを特徴とすることもできる。【００１４】
本発明では、例えば、タッチペンで縦に真っ直ぐの線が一本引かれた場合に、これを数字の「１」と認識することも、アルファベットの「ｌ」と認識することもできる場合がある。タッチペン等による入力操作から識別される第２の情報に２以上の候補が存在する場合には、更新の対象となる第１の情報と同じ種別（例えば、数字、アルファベット、カナ、符号等の種別）の情報を候補から選択するよう構成することによって、適切な情報を識別できる確率を高めることが可能になる。【００１５】
また、本発明において、前記第１の情報は、前記タッチスクリーン上の領域に表示されている情報、又は前記タッチスクリーン上の領域に表示されている情報について設定された値であることを特徴とすることもできる。【００１６】
第１の情報を前者にすると、例えば、タッチスクリーン上にアプリケーションプログラムによって表示されている数字や文字等や、表示されているファイルに含まれる数字や文字等を、表示された領域に入力された数字や文字等に更新することが可能になる。第１の情報を後者にすると、例えば、タッチスクリーン上に表示されている文書ファイルのサムネイル等の情報に設定されているページ番号等の設定値を、表示された領域に入力された数字や文字等に更新することが可能になる。【００１７】
本発明は、本発明にかかる情報処理装置において動作する情報更新プログラムとして特定することもできる。【００１８】
本発明にかかる情報更新プログラムは、タッチスクリーンを備えた情報処理装置に、情報が表示されたタッチスクリーン上に、所定の入力手段による入力操作を検出する入力検出ステップと、前記入力操作が検出されたタッチスクリーン上の領域に関連する第１の情報を特定する情報特定ステップと、前記入力操作によって入力された第２の情報を識別する情報識別ステップと、前記第１の情報を前記第３の情報に更新する情報更新ステップと、を実行させることを特徴とする情報更新プログラムである。【００１９】
また、本発明にかかる情報更新プログラムは、前記タッチスクリーンには、いずれの入力手段による入力操作かを識別可能な第１の入力手段及び第２の入力手段による情報の入力が可能なタッチスクリーンが用いられ、前記情報処理装置に、タッチスクリーンに対する入力操作を実行した入力手段が、前記第１の入力手段又は前記第２の入力手段のいずれの入力手段であるかを識別する入力識別ステップを実行させ、前記入力検出ステップでは、前記入力識別手段が前記第１の入力手段によって実行された入力操作であると識別した入力操作を、前記所定の入力手段による入力操作として検出し、前記第２の入力手段による入力操作が実行されても、前記所定の入力手段による入力操作として検出しないことを特徴とすることもできる。前記第１の入力手段はタッチスクリーン用のタッチペン、前記第２の入力手段は前記情報更新装置の操作者の指であることを特徴としてもよい。【００２０】
また、本発明にかかる情報更新プログラムは、前記情報識別ステップにおいて、２以上の情報が前記第２の情報の候補として識別された場合には、前記第２の情報の候補のうち、前記第１の情報と情報の種別が一致する情報を前記第２の情報として識別することを特徴とすることもできる。【００２１】
また、本発明にかかる情報更新プログラムにおいて、前記第１の情報は、前記タッチスクリーン上の領域に表示されている情報、又は前記タッチスクリーン上の領域に表示されている情報について設定された値であることを特徴とすることもできる。
【発明の効果】
【００２２】
本発明によると、タッチスクリーンにより情報を入力するタブレット型コンピュータやスマートフォン等の情報処理装置において、タッチスクリーンに表示されている情報に、新たな情報を上書きするような直感的な操作によって、情報の更新処理を実行することが可能になり、タッチスクリーンを備えた情報処理装置の操作性が向上することが期待される。
【図面の簡単な説明】
【００２３】
【図１】本発明にかかる情報処理装置の構成を示すブロック図である。
【図２】本発明の第１の実施形態におけるタッチスクリーン上の表示例を示す、第１の図である。
【図３】本発明の第１の実施形態におけるタッチスクリーン上の表示例を示す、第２の図である。
【図４】本発明の第１の実施形態におけるタッチスクリーン上の表示例を示す、第３の図である。
【図５】本発明の第２の実施形態におけるタッチスクリーン上の表示例を示す、第１の図である。
【図６】本発明の第２の実施形態におけるタッチスクリーン上の表示例を示す、第２の図である。
【図７】本発明の第２の実施形態におけるタッチスクリーン上の表示例を示す、第３の図である。
【図８】本発明にかかる情報更新プログラムの処理フローを示すフローチャートである。
【発明を実施するための形態】
【００２４】
本発明を実施するための形態について、図面を用いて以下に詳細に説明する。尚、以下の説明は、本発明の実施形態の一例を示したものであって、本発明はかかる実施形態に限定されるものではない。
【００２５】
図１は、本発明にかかる情報処理装置の構成の一例を示している。本発明には、タブレット型コンピュータやスマートフォンなどの、タッチスクリーンによる入出力機能を備えた情報処理装置が用いられる。
【００２６】
タブレット型コンピュータ本体１０への情報の入出力は、タッチスクリーン２０の他にも、音声入力や外部デバイスへの出力など他の入出力機能の実行に用いられる手段を備えるものであってもよいが、タッチスクリーン２０を用いた入出力が可能な構成となっている。タッチスクリーン２０には、タブレット型コンピュータ本体１０での演算結果がスクリーン上に表示されるとともに、タッチペンや指でスクリーンにタッチしたり、文字や図形を描画したりすることによって、情報の入力が行われる。
【００２７】
タブレット型コンピュータ本体１０は、ＣＰＵ、メインメモリ、ＨＤＤ等の補助記憶装置を備えたコンピュータである。タブレット型コンピュータ本体１０に備えられる入出力制御部１１、入力手段識別部１２、アプリケーション実行部１３は、いずれも機能的に特定されるものであって、各々の機能に対応するプログラムが補助記憶装置からメインメモリに読み出され、ＣＰＵで演算処理を実行することによって所定の機能が実現される。データ格納部１４には、タブレット型コンピュータ本体１０の補助記憶装置の所定の記憶領域が割り当てられる。
【００２８】
入出力制御部１１は、タッチスクリーン２０からの情報の入出力にかかる処理を実行する。具体的には、タッチスクリーン２０へのタッチペンや指の接触を検出し、タッチスクリーン上に表示されたボタンを押下する操作の受付けや、タッチペンや指によって描かれた文字や図形の識別、識別した文字や図形のタッチスクリーン２０への出力などの処理を実行する。入出力制御部１１に対応するプログラムは、主にタブレット型コンピュータ本体１０のオペレーティングシステム（ＯＳ）に含まれるが、ＯＳ以外にも、ＯＳとアプリケーションプログラムを連携させるミドルウェアとして動作するものであってもよい。
【００２９】
入力手段識別部１２は、タッチスクリーン２０に接触したタッチペンなどの第１の入力手段と、指などの第２の入力手段を識別する処理を実行する。本発明では、タッチペンなどの第１の入力手段、指などの第２の入力手段の双方によってタッチスクリーンからの情報の入力が可能であるとともに、いずれの入力手段によって入力されたかを識別可能であることが必要になるが、どのような方式によって双方の入力手段による入力を可能にするか（例えば、タッチペンによる入力に対応する電磁誘導方式と指による入力に対応する静電容量式を組み合わせたタッチスクリーンを用いることとしてもよいし、双方での入力が可能なアナログ抵抗膜方式を採用することとしてもよい）、どのような方式によって両者を識別するか（例えば、接触が検出された幅の大小によって両者を識別することが可能であるし、電磁誘導方式と指による入力に対応する静電容量式を組み合わせたタッチスクリーンを用いる場合には、いずれの方式により入力を検出したかにより識別することが可能である）は、特に限定されるものではない。
【００３０】
アプリケーション実行部１３には、時計アプリ、文書作成ソフト、画像管理ソフトなどの様々なアプリケーションプログラムが対応する。本発明にかかる情報更新プログラムは、アプリケーション実行部１３に対応するこれらのアプリケーションプログラムの設定値や、アプリケーションプログラムよって開かれるファイルに含まれる数字や文字等の情報の更新処理を実行するもので、入出力制御部１１の機能の一部、又はアプリケーション実行部１３で動作する各々のアプリケーションプログラムの機能の一部として実行される。
【００３１】
データ格納部１４は、アプリケーションプログラムによって作成されたファイル等のデータや、時計機能において設定された時刻などのタブレット型コンピュータ本体１０に設定されている設定値などのデータが格納される。
【００３２】
以上の構成を前提に、図２〜図４に示したタッチスクリーン２０上の表示例を用いて、本発明の第１の実施形態について説明する。
【００３３】
まず、ユーザがタッチスクリーン２０を操作して、タブレット型コンピュータ本体１０において時計を表示するアプリケーションプログラムをアプリケーション実行部１３で起動すると、図２に示したように時刻を表示する画面が出力される。
【００３４】
次に、タッチスクリーン上の時刻が表示された領域に、タッチペン等の入力手段を用いて、図３に示したように、時刻を更新するための数字（ここでは「１０時」を「１１時」に更新）を上書きする入力操作を行う。
【００３５】
この操作を入出力制御部１１において検出したタブレット型コンピュータ本体１０では、入力手段識別部１２において入力手段がタッチペンであると識別される。本発明では、特定の入力手段（この例ではタッチペン）によって情報が入力されたときに限り、以下に説明する手順でタッチスクリーン２０に表示されている情報を更新し、他の入力手段（例えば指）によって情報が入力されてもタッチスクリーン２０に表示されている情報が更新されることはなく、他の入力手段（例えば指）は、アプリケーションプログラム（この例では時計を表示するアプリケーションプログラム）の起動や表示位置の移動、ページのスクロールなどの操作に用いられるよう構成することが好適である。これによって、アプリケーションプログラム（この例では時計を表示するアプリケーションプログラム）を表示モードから編集モードに切り換えるといった操作を行わなくても、入力手段を指からタッチペンに変更するだけで、編集モードと同様の状態に切り換えて、表示されている情報を更新することが可能になる。
【００３６】
入力手段識別部１２において入力手段がタッチペンであると識別されると、タブレット型コンピュータ本体１０では、タッチペンによって新たな情報が入力された領域を認識し、その領域に更新可能な数字等が表示されていれば（この例では更新可能な数字である「時刻」が表示されている）、入力された新たな情報がどのような値であるかを識別し（この例では「１」と識別される）、表示された値を入力した値に更新（ここでは「１０時」を「１１時」に更新）して、タブレット型コンピュータ本体１０のメインメモリやデータ格納部１４に保存するとともに、図４に示したように、更新した値を出力してタッチスクリーン上に表示させる。
【００３７】
尚、タッチスクリーンへの情報の入力手段はタッチペンに限定されるものではなく、指などの他の入力手段によるものであってもよいが、前述のように入力手段の相違によって表示モードから更新モードへ切り換えを可能にするためには、情報の更新時と通常の操作時には、異なる入力手段を用いることが好ましい。さらに、情報の更新時の操作は、文字や数字の形状を手書きで入力するという、アプリケーションプログラムの起動やページのスクロールなどの他の操作に比べて細かな入力操作が必要になることが多いため、情報の更新時の入力手段（第１の入力手段）にはタッチペンを、通常の操作時の入力手段（第２の入力手段）には指を用いるよう構成するのが好適である。
【００３８】
また、タッチペンでの入力によって更新される値は数字に限られるものではなく、文字や符号、図形などを更新するものであってもよい。
【００３９】
また、タッチスクリーン上の新たな情報が入力された領域と更新可能な値が表示されている領域は、必ずしも完全一致を要件とするものではなく、一部が重なっている場合や、全く重ならなくても更新可能な値に対して予め定義された領域に新たな情報が入力された場合などを対象にするものであってもよい。
【００４０】
このようなタッチスクリーン２０に表示された情報の更新時には、タッチペンによって入力された情報を識別する際に、数字や文字など複数の候補が存在することが問題になる場合がある。図３に示した例では、「０」が表示された領域に「１」が上書きされているが、この数字の「１」として入力された形状を文字の「ｌ」と識別することが可能な場合もあり、このようなケースでは、識別された候補の中からいずれの情報を選択して更新に用いるかを決定することが必要になる。
【００４１】
こうしたケースでは、更新対象となる「０」という情報の種別が数字であることから、情報の種別が一致する数字の「１」のほうを選択すれば、適切に情報が更新される確率が高くなるため、タッチスクリーン２０で入力を受け付けて２以上の情報が更新すべき情報の候補として識別された場合には、これらの候補のうち、更新対象となる情報と情報の種別が一致する情報を更新すべき情報として識別することとすればよい。
【００４２】
尚、更新すべき情報の種別は、入力された形状を一般的な文字認識の技術によって数字や文字として識別する際に当然に特定されるが、更新対象となる情報の種別を特定する方法は特に限定されるものではなく、図２〜４に示した例であれば、時計を表示するアプリケーションプログラムが起動されていることから、時刻を表示する領域に表示されている情報は数字であると特定することができるし、ペイントソフトなどで描かれた形状が対象になる場合は、一般的な文字認識の技術によって数字や文字などの情報の種別を特定することとすればよい。
【００４３】
続いて、図５〜図８に示したタッチスクリーン２０上の表示例を用いて、本発明の第２の実施形態について説明する。
【００４４】
まず、ユーザがタッチスクリーン２０を操作して、タブレット型コンピュータ本体１０において文書作成ソフトをアプリケーション実行部１３で起動し、作成済の文書ファイルを開いて、図５に示したように、ページ毎のサムネイルを画面に表示したとする。
【００４５】
次に、タッチスクリーン上に表示されている一のサムネイル（ここでは１ページ目のサムネイル）が表示された領域に、タッチペン等の入力手段を用いて、図６に示したように、ページ番号を更新するための数字（ここでは「１ページ」を「５ページ」に更新）の入力操作を行う。
【００４６】
この操作を入出力制御部１１において検出したタブレット型コンピュータ本体１０では、入力手段識別部１２において入力手段がタッチペンであると識別される。第２の実施形態においても、特定の入力手段（この例ではタッチペン）によって情報が入力されたときに限り、以下に説明する手順でタッチスクリーン２０に表示されている情報を更新し、他の入力手段（例えば指）によって情報が入力されてもタッチスクリーン２０に表示されている情報が更新されることがないよう構成するのが好適であることは、第１の実施形態と同様である。
【００４７】
入力手段識別部１２において入力手段がタッチペンであると識別されると、タブレット型コンピュータ本体１０では、タッチペン等によって新たな情報が入力された領域を認識し、その領域に設定値等の更新可能な要素を含む情報が表示されていれば（ここでは「ページ番号」という設定値の更新が可能なサムネイルが表示されている）、入力された新たな情報がどのような値であるかを識別し（この例では「５」と識別される）、表示された領域にある情報の設定値を入力した値に更新（ここでは「１ページ」を「５ページ」に更新）して、タブレット型コンピュータ本体１０のメインメモリやデータ格納部１４に保存するとともに、図７に示したように、更新された設定値に合わせて表示形態が変更された画面（ここではページの順序が入れ換えられた画面）を出力してタッチスクリーン２０上に表示させる。
【００４８】
尚、表示された領域にある情報の設定値の更新に伴って必要になる他の情報の設定値もあわせて更新され（ここでは、例えば「２ページ」を「１ページ」に更新）、タブレット型コンピュータ本体１０のメインメモリやデータ格納部１４に保存される。
【００４９】
尚、タッチスクリーンへの情報の入力手段はタッチペンに限定されるものではなく、指などの他の入力手段によるものであってもよいが、情報の更新時と通常の操作時には異なる入力手段を用いて、特に情報の更新時の入力手段（第１の入力手段）にはタッチペンを、通常の操作時の入力手段（第２の入力手段）には指を用いるよう構成することが好適であること、タッチスクリーン上の新たな情報が入力された領域と設定値の更新が可能な情報が表示されている領域は、必ずしも完全一致を要件とするものではなく、一部が重なっている場合や、全く重ならなくても更新が可能な情報に対して予め定義された領域に新たな情報が入力された場合などを対象にするものであってもよいこと、２以上の情報が更新すべき情報の候補として識別された場合には、更新対象となる情報と情報の種別が一致する情報を更新すべき情報として識別すればよいことは、第１の実施形態と同様である。
【００５０】
以上の本発明にかかる情報更新プログラムによる処理フローをフローチャートとして示したのが、図８である。
【００５１】
本発明にかかる情報更新プログラムは、所定のアプリケーションプログラムの起動や、アプリケーションプログラムにおける編集モードへの移行をトリガとして起動される。まず、タッチスクリーンにタッチペンによって入力操作が行われたことが検出されると（Ｓ１）、情報が入力された領域を認識する（Ｓ２）。尚、入力操作がタッチペン以外の入力手段によって行われた場合には、以下に説明する処理は実行されず、起動のトリガとなったアプリケーションプログラム、又はアプリケーションプログラムの編集モードが終了するまでは（Ｓ７）、次の入力がないかを監視する（Ｓ１）。
【００５２】
情報が入力された領域を認識されると、認識された領域に、数字や文字等の情報それ自体、あるいは表示されている情報の設定値など、更新可能な要素を含む情報が表示されているかを確認する（Ｓ３）。更新可能な要素を含む情報が表示されていなければ、起動のトリガとなったアプリケーションプログラム、又はアプリケーションプログラムの編集モードが終了するまでは（Ｓ７）、次の入力がないかを監視する（Ｓ１）。
【００５３】
更新可能な要素を含む情報が表示されている場合には、入力された情報がどのような数字や文字等であるかを識別し（Ｓ４）、表示されている数字や文字等の情報自体、あるいは表示されている情報の設定値を更新して、情報処理装置のメインメモリや補助記憶装置に保存するとともに（Ｓ５）、更新された情報を反映してタッチスクリーンに出力する処理を実行する（Ｓ６）。尚、Ｓ４において複数の数字や文字等が候補として識別された場合には、更新対象と情報の種別が一致する情報を更新すべき情報に選択する。これらの処理が終了すると、起動のトリガとなったアプリケーションプログラム、又はアプリケーションプログラムの編集モードが終了するまでは（Ｓ７）、次の入力がないかを監視する（Ｓ１）。
【符号の説明】
【００５４】
１０  タブレット型コンピュータ本体
１１  入出力制御部
１２  入力手段識別部
１３  アプリケーション実行部
１４  データ格納部
２０  タッチスクリーン
【図１】
0006014170.tif 000002
【図２】
0006014170.tif 000003
【図３】
0006014170.tif 000004
【図４】
0006014170.tif 000005
【図５】
0006014170.tif 000006
【図６】
0006014170.tif 000007
【図７】
0006014170.tif 000008
【図８】
0006014170.tif 000009